(57)【要約】      （修正有）【課題】ネットワーク接続中における不要な駆動電源の切断を防止することが可能となると共に、他の機器に直接接続されて使用されている場合に、容易に駆動電源を切断することが可能となるテープ印刷装置を提供する。【解決手段】制御回路部３１のＣＰＵ３５は、ＬＡＮ５１に接続されている場合、つまり、通信制御回路部３３からＬＡＮ接続信号が入力されている場合には、電源ボタン７Ａから所定時間連続して押下信号が入力されると、駆動電源を切断する。また、ＣＰＵ３５は、ＬＡＮ５１に接続されていない場合、つまり、通信制御回路部３３からＬＡＮ接続信号が入力されていない場合には、電源ボタン７Ａから押下信号が入力されると、ほぼ同時に駆動電源を切断する。【選択図】図４
2010046967.tif 000002
【特許請求の範囲】
【請求項１】
長尺状の印刷媒体に印刷データを印刷するための印刷手段を備えたテープ印刷装置において、
ネットワークに接続可能なネットワーク接続手段と、
駆動電源の切断を指示する電源切断指示を入力する入力手段と、
前記電源切断指示が入力された場合には、前記ネットワークに接続されているか否かを判定するネットワーク接続判定手段と、
前記ネットワーク接続判定手段を介して前記ネットワークに接続されていると判定された場合には、前記電源切断指示が所定時間連続して入力されたか否かを判定する指示判定手段と、
前記指示判定手段を介して電源切断指示が所定時間連続して入力されたと判定された場合には、前記駆動電源を切断するように制御する電源制御手段と、
を備えたことを特徴とするテープ印刷装置。
【請求項２】
前記ネットワークを介さないで他の機器に直接接続可能な直接接続手段と、
前記ネットワーク接続判定手段を介して前記ネットワークに接続されていると判定された場合には、前記他の機器に直接接続されているか否かを判定する直接接続判定手段と、
前記直接接続判定手段を介して前記他の機器に直接接続されていると判定された場合には、最後に印刷した前記印刷データが前記ネットワークを介して取得したものか否かを判定する取得経路判定手段と、
を備え、
前記指示判定手段は、前記取得経路判定手段を介して最後に印刷した前記印刷データが前記ネットワークを介して取得したものであると判定された場合に、前記電源切断指示が所定時間連続して入力されたか否かを判定することを特徴とする請求項１に記載のテープ印刷装置。
【請求項３】
前記指示判定手段は、前記直接接続判定手段を介して前記他の機器に直接接続されていないと判定された場合に、前記電源切断指示が所定時間連続して入力されたか否かを判定することを特徴とする請求項２に記載のテープ印刷装置。
【請求項４】
前記電源制御手段は、前記取得経路判定手段を介して最後に印刷した前記印刷データが前記ネットワークを介して取得したものでないと判定された場合には、前記駆動電源を切断するように制御することを特徴とする請求項２又は請求項３に記載のテープ印刷装置。
【請求項５】
前記電源制御手段は、前記ネットワーク接続判定手段を介して前記ネットワークに接続されていないと判定された場合には、前記駆動電源を切断するように制御することを特徴とする請求項１乃至請求項４のいずれかに記載のテープ印刷装置。
【請求項６】
前記所定時間を設定変更可能な時間設定手段を備えたことを特徴とする請求項１乃至請求項５のいずれかに記載のテープ印刷装置。
【発明の詳細な説明】
【技術分野】
【０００１】
本発明は、長尺状の印刷媒体に印刷データを印刷するテープ印刷装置に関するものである。
【背景技術】
【０００２】
従来より、テープ印刷装置等をネットワークに接続する技術に関し種々提案されている。
例えば、ネットワーク（ＬＡＮ）に接続可能な各プリンタ１０ａ、１０ｂには、工場出荷時に、それぞれの固有のＭＡＣアドレス（Media Access Control address）が設定されると共に、デフォルトアドレスとしてＩＰアドレスが192.0.0.192、サブネットマスクが0.0.0.0、ゲートウェイアドレスが0.0.0.0に設定されている。そして、各プリンタ１０ａ、１０ｂは、ＬＡＮに接続されて電源が投入された場合には、当該ＬＡＮ上のアドレス設定装置としてのパソコン３（サーバ）とＳＮＭＰ（Simple Network Management Protocol）にて通信を行い、ＩＰアドレス、サブネットマスク、ゲートウェイアドレスを取得して再設定する。その後、各プリンタ１０ａ、１０ｂは、ＴＣＰ／ＩＰ（Transmission Control Protocol / Internet Protocol）等の通信方式にてパソコン３等からＬＡＮを介して送信された印刷データを印刷する（例えば、特許文献１参照。）。
【特許文献１】特開２００３−２６４５５６号公報（段落（００２６）〜（００４８）、図１〜図５）
【発明の開示】
【発明が解決しようとする課題】
【０００３】
しかしながら、上述した特許文献１に記載される構成では、ネットワークに接続された各プリンタ１０ａ、１０ｂは、一度電源を切断後、再電源投入時に、ＬＡＮ上のサーバからＩＰアドレス、サブネットマスク、ゲートウェイアドレス等を再度、取得するために、サーバとＳＮＭＰ等にて通信を行う必要があり、再起動に時間がかかる。また、例えば、ＤＨＣＰ（Dynamic Host Configuration Protocol）、ＢＯＯＴＰ（Bootstrap Protocol）、ＲＡＲＰ（Reverse Address Resolution Protocol）を持ち、順番に問い合わせを出す構成になっているネットワークに接続可能な機器（ネットワーク機器）の場合には、当該ネットワーク機器の電源投入時に、ＲＡＲＰサーバのみがＬＡＮ上で動作していると、ＤＨＣＰサーバとＢＯＯＴＰサーバへの問い合わせに対してそれぞれタイムアウト時間を要し、全く無用な待ち時間を要することとなる。更に、これらのＩＰアドレス、サブネットマスク、ゲートウェイアドレス等を取得するための通信によって、ネットワーク内にパケットを発生させ、トラフィックを増大させることとなる。
【０００４】
一方、各プリンタ１０ａ、１０ｂは、他の機器（パソコン等である。）と直接接続されて使用されている場合には、電源投入時に行われるデータ通信量は少なく、起動にも時間がかからない。そのため、電源スイッチを所定時間押下した場合に、駆動電源を切断する方法や、電源スイッチを操作しにくい箇所に配置した場合には、駆動電源の切断操作に手間がかかるという問題がある。
【０００５】
そこで、本発明は、上述した問題点を解決するためになされたものであり、ネットワーク接続中における不要な駆動電源の切断を防止することが可能となると共に、他の機器に直接接続されて使用されている場合に、容易に駆動電源を切断することが可能となるテープ印刷装置を提供することを目的とする。
【課題を解決するための手段】
【０００６】
前記目的を達成するため請求項１に係るテープ印刷装置は、長尺状の印刷媒体に印刷データを印刷するための印刷手段を備えたテープ印刷装置において、ネットワークに接続可能なネットワーク接続手段と、駆動電源の切断を指示する電源切断指示を入力する入力手段と、前記電源切断指示が入力された場合には、前記ネットワークに接続されているか否かを判定するネットワーク接続判定手段と、前記ネットワーク接続判定手段を介して前記ネットワークに接続されていると判定された場合には、前記電源切断指示が所定時間連続して入力されたか否かを判定する指示判定手段と、前記指示判定手段を介して電源切断指示が所定時間連続して入力されたと判定された場合には、前記駆動電源を切断するように制御する電源制御手段と、を備えたことを特徴とする。
【０００７】
また、請求項２に係るテープ印刷装置は、請求項１に記載のテープ印刷装置において、前記ネットワークを介さないで他の機器に直接接続可能な直接接続手段と、前記ネットワーク接続判定手段を介して前記ネットワークに接続されていると判定された場合には、前記他の機器に直接接続されているか否かを判定する直接接続判定手段と、前記直接接続判定手段を介して前記他の機器に直接接続されていると判定された場合には、最後に印刷した前記印刷データが前記ネットワークを介して取得したものか否かを判定する取得経路判定手段と、を備え、前記指示判定手段は、前記取得経路判定手段を介して最後に印刷した前記印刷データが前記ネットワークを介して取得したものであると判定された場合に、前記電源切断指示が所定時間連続して入力されたか否かを判定することを特徴とする。
【０００８】
また、請求項３に係るテープ印刷装置は、請求項２に記載のテープ印刷装置において、前記指示判定手段は、前記直接接続判定手段を介して前記他の機器に直接接続されていないと判定された場合に、前記電源切断指示が所定時間連続して入力されたか否かを判定することを特徴とする。
【０００９】
また、請求項４に係るテープ印刷装置は、請求項２又は請求項３に記載のテープ印刷装置において、前記電源制御手段は、前記取得経路判定手段を介して最後に印刷した前記印刷データが前記ネットワークを介して取得したものでないと判定された場合には、前記駆動電源を切断するように制御することを特徴とする。
【００１０】
また、請求項５に係るテープ印刷装置は、請求項１乃至請求項４のいずれかに記載のテープ印刷装置において、前記電源制御手段は、前記ネットワーク接続判定手段を介して前記ネットワークに接続されていないと判定された場合には、前記駆動電源を切断するように制御することを特徴とする。
【００１１】
更に、請求項６に係るテープ印刷装置は、請求項１乃至請求項５のいずれかに記載のテープ印刷装置において、前記所定時間を設定変更可能な時間設定手段を備えたことを特徴とする。
【発明の効果】
【００１２】
請求項１に係るテープ印刷装置では、ネットワークに接続されている場合には、電源切断指示が所定時間連続して入力された場合、例えば、電源ボタン等を所定時間連続して押下された場合に、駆動電源を切断する。これにより、ユーザは、テープ印刷装置をネットワークに接続している際に、駆動電源を切断する場合には、所定時間以上電源ボタン等を押下する必要があるため、ネットワーク接続中における不要な駆動電源の切断を防止することが可能となる。従って、ネットワーク接続時における電源投入回数を削減して、ネットワーク上のサーバとの通信量の削減化を図り、トラフィックを減少させることが可能となる。また、駆動電源の切断を指示する電源切断指示を入力する入力手段を操作しやすい箇所に配置して、テープ印刷装置の操作性の向上を図ることが可能となる。
【００１３】
また、請求項２に係るテープ印刷装置では、最後に印刷した印刷データがネットワークを介して取得したものである場合には、他の機器がネットワークを介さないで直接接続されていても、電源切断指示が所定時間連続して入力されたときに駆動電源を切断するように構成することができる。これにより、当該テープ印刷装置がネットワークを介して使用されている際の不要な駆動電源の切断を防止することが可能となる。
【００１４】
また、請求項３に係るテープ印刷装置では、他の機器がネットワークを介さないで直接接続可能であっても、当該他の機器が接続されていない場合には、電源切断指示が所定時間連続して入力されたときに駆動電源を切断するように構成することができる。これにより、当該テープ印刷装置がネットワークを介して使用されている際の不要な駆動電源の切断を確実に防止することが可能となる。従って、ネットワーク接続時における電源投入回数を削減して、ネットワーク上のサーバとの通信量の削減化を図り、トラフィックを減少させることが可能となる。また、駆動電源の切断を指示する電源切断指示を入力する入力手段を操作しやすい箇所に配置して、テープ印刷装置の操作性の向上を図ることが可能となる。
【００１５】
また、請求項４に係るテープ印刷装置では、最後に印刷した印刷データがネットワークを介して取得したものでない場合、つまり、最後に印刷した印刷データが直接接続された他の機器から取得した印刷データの場合には、電源切断指示が入力されたときに駆動電源を切断するように構成することができる。これにより、当該テープ印刷装置が他の機器に直接接続されて使用されている場合に、迅速に駆動電源を切断することが可能となる。
【００１６】
また、請求項５に係るテープ印刷装置では、ネットワークに接続されていない場合には、電源切断指示が入力されたときに駆動電源を切断するように構成することができ、更に迅速に駆動電源を切断することが可能となる。
【００１７】
更に、請求項６に係るテープ印刷装置では、電源切断指示を連続して入力する所定時間が設定変更可能になるため、ユーザは、当該所定時間をより長く設定することによって、テープ印刷装置のネットワーク接続時における不要な電源切断を更に確実に防止することが可能となる。
【発明を実施するための最良の形態】
【００１８】
以下、本発明に係るテープ印刷装置について具体化した第１実施形態及び第２実施形態に基づき図面を参照しつつ詳細に説明する。
【実施例１】
【００１９】
先ず、第１実施形態に係るロールシートホルダが装着されるテープ印刷装置の概略構成について図１乃至図３に基づき説明する。
図１は第１実施形態に係るテープ印刷装置１の前側からの外観斜視図である。図２はテープ印刷装置１の後側からの外観斜視図である。図３はロールシートホルダをテープ印刷装置１に装着した状態を示す側断面図である。
【００２０】
図１乃至図３に示すように、テープ印刷装置１は、樹脂製の本体筐体２と、所定幅のロールシート３Ａが巻回されたロールシートホルダ３を収納するロールシートホルダ収納部４の上側を覆う側面視略半円形状に形成された透明樹脂製の上カバー５とから構成されている。この上カバー５は、ロールシートホルダ収納部４の後側上端縁部に設けられた一対のカバー軸部５Ａによって軸支され、前後方向に回動して開閉自在に取り付けられている。また、ロールシート３Ａは、自己発色性を有する長尺状の感熱シート（いわゆる、サーマルペーパー）や、該感熱シートの片面に粘着剤を介して離形紙が張り合わされた長尺状のラベルシート等で構成され、ロールシートホルダ３に巻回されている。
【００２１】
また、上カバー５の前側のフロントカバー６には、印刷されたロールシート３Ａを外部に排出するシート排出口６Ａが形成されている。また、このシート排出口６Ａの上側の前面部には電源ボタン７Ａ、押下することによってシート排出口６Ａの内側に設けられたカッターユニット８（図３参照）を駆動させてロールシート３Ａを切断するカットボタン７Ｂ、押下している間ロールシート３Ａを搬送方向に排出するフィードボタン７Ｃが略水平に配置されている。
【００２２】
ここで、カッターユニット８は、図３に示すように、固定刃８Ａと正面視Ｖ字形の可動刃８Ｂから構成され、カットボタン７Ｂが押下された場合には、可動刃８ＢがＤＣモータ等で構成される切断用モータ８Ｃにより上下方向に往復移動される。そして、固定刃８Ａと可動刃８Ｂとによって切断されたロールシート３Ａは、シート排出口６Ａから排出される。
【００２３】
また、トレー部材９がフロントカバー６の前側を覆うように、このフロントカバー６の下端縁部に開閉自在に取り付けられ、上端部に形成された凹み部９Ａに指を掛けて前側に回動させて開くことができるように構成されている。
また、本体筐体２の背面部には電源コード１０Ａ（図３参照）が接続されるインレット１０が配設されると共に、その横側（図２中、左側である。）には、パーソナルコンピュータ２００（図４参照）等の他の機器と直接接続できるＲＳ−２３２Ｃコネクタ部１１が設けられている。
【００２４】
また、その横側（図２中、左側である。）には、ＬＡＮケーブル１２Ａ（図３参照）が接続されるＬＡＮコネクタ部１２が配設されている。そして、テープ印刷装置１は、ＬＡＮコネクタ部１２に接続されたＬＡＮケーブル１２Ａを介してＬＡＮ（Local Area Network）５１（図４参照）に接続され、当該ＬＡＮ５１上のアドレス設定装置としてのサーバ１００（図４参照）と通信可能に構成されている。
更に、その横側（図２中、左側である。）には、パーソナルコンピュータ２００（図４参照）等の他の機器と直接接続できるＵＳＢ（Universal Serial Bus）コネクタ部１３が設けられている。
【００２５】
また、図３に示すように、ロールシート３Ａを挿入する挿入口１５のロールシート搬送方向奥側には、プラテンローラ１７が回転自在に軸支されている。また、サーマルヘッド１８は押圧バネ２０によって上方に付勢されているヘッド支持部材２１の上面に固定されている。また、このヘッド支持部材２１の搬送方向に対して後側の端縁部は、フレーム２２の背面部によって上下方向に揺動可能に支持されている。
【００２６】
そして、上カバー５を閉じることによって、不図示のリンク機構を介して押圧バネ２０によって上方に付勢されているサーマルヘッド１８が、プラテンローラ１７にロールシート３Ａを押圧付勢して印刷可能な状態になる。また、上カバー５を開くことによって、不図示のリンク機構を介してサーマルヘッド１８が、プラテンローラ１７から離間し、ロールシート３Ａを挿入口１５から挿通して、プラテンローラ１７とサーマルヘッド１８との間に挿通可能な状態になる。
【００２７】
また、ロールシートホルダ収納部４の下側には、仕切壁２５を介して、外部のサーバ１００やパーソナルコンピュータ２００等からの指令によりサーマルヘッド１８等の各機構部を駆動制御する制御回路部３１（図４参照）が形成された制御基板２６が設けられている。また、フレーム２２の下方には、仕切壁２７を介して、電源回路部３２（図４参照）が形成された電源基板２８が設けられている。
【００２８】
また、制御基板２６の下側には、外部のサーバ１００やパーソナルコンピュータ２００等との通信制御を行う通信制御回路部３３（図４参照）が形成された通信制御基板２９が設けられている。また、この通信制御基板２９には、ＲＳ−２３２Ｃコネクタ部１１、ＬＡＮコネクタ部１２及びＵＳＢコネクタ部１３がそれぞれ電気的に接続されている。そして、制御基板２６、電源基板２８及び通信制御基板２９は、底面部にネジ止めされた薄い鋼板製（本実施形態では、厚さ約０．５ｍｍのＳＰＣＣ等の鋼板製である。）の底面カバー３０によって覆われている。
【００２９】
次に、上記のように構成されたテープ印刷装置１の制御構成について図４に基づき説明する。図４はテープ印刷装置１の制御構成を示すブロック図である。
図４に示すように、テープ印刷装置１は、サーマルヘッド１８等のテープ印刷装置１の全体の機構部を駆動制御する制御回路部３１と、電源回路部３２、通信制御回路部３３、印刷部４５、ラベルカット部４６等から構成されている。また、制御回路部３１には、電源ボタン７Ａ、カットボタン７Ｂ、フィードボタン７Ｃが電気的に接続され、各ボタン７Ａ〜７Ｃが押下された場合には、それぞれの押下信号が制御回路部３１に入力される。
【００３０】
また、制御回路部３１は、テープ印刷装置１の全体の制御を行う演算装置及び制御装置としてのＣＰＵ３５や、ＲＯＭ３６、ＲＡＭ３７、時間を計測するタイマ３８等を備えている。また、ＣＰＵ３５、ＲＯＭ３６、ＲＡＭ３７、タイマ３８は、不図示のバス線により相互に接続されて、相互にデータのやり取りが行われる。
【００３１】
また、ＲＯＭ３６は各種のプログラムを記憶させておくものであり、印刷制御プログラムや、後述の電源ボタン７Ａを押下された場合に、電源回路部３２を切断する、つまり、ＯＦＦにする電源切断処理等のテープ印刷装置１の制御上必要な各種のプログラムが記憶されている。そして、ＣＰＵ３５はかかるＲＯＭ３６に記憶されている各種のプログラムに基づいて各種の演算及び制御を行なうものである。
【００３２】
また、ＲＯＭ３６には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータがイメージバッファ上に展開される。
【００３３】
また、ＲＡＭ３７はＣＰＵ３５により演算された各種の演算結果を一時的に記憶させておくためのものである。また、サーマルヘッド１８を介してロールシート３Ａに印刷する際に印刷データが一時記憶される。更に、ＲＡＭ３７には、テキストメモリ、イメージバッファ、印字バッファ等の各種のメモリが設けられている。
【００３４】
また、電源回路部３２は、インレット１０に接続された電源コード１０Ａを介して供給されるＡＣ１００ボルト等の電源を不図示のレギュレータ等を介して約ＤＣ５Ｖ、ＤＣ１２Ｖ等に変換して制御回路部３１、通信制御回路部３３、印刷部４５、ラベルカット部４６等に供給する。また、電源回路部３２は、制御回路部３１から入力されるＯＮ信号とＯＦＦ信号に従って、制御回路部３１、通信制御回路部３３、印刷部４５、ラベルカット部４６等への電源供給をＯＮ、ＯＦＦするように構成されている。
【００３５】
また、通信制御回路部３３は、ローカルインターフェース（Ｉ／Ｆ）４１と、ＬＡＮインターフェース（Ｉ／Ｆ）４２と、接続状態判定部４３と、不図示のＣＰＵ、ＲＡＭ、ＲＯＭ等を備えている。また、ローカルＩ／Ｆ４１には、ＲＳ−２３２Ｃコネクタ部１１とＵＳＢコネクタ部１３がそれぞれ接続されている。また、ＬＡＮＩ／Ｆ４２には、ＬＡＮコネクタ部１２が接続されている。
【００３６】
また、接続状態判定部４３は、ローカルＩ／Ｆ４１がＲＳ−２３２Ｃコネクタ部１１又はＵＳＢコネクタ部１３を介してパーソナルコンピュータ２００等の他の機器に接続されているか否かを検出し、他の機器に接続されている場合には、ローカル接続信号を出力する。また、接続状態判定部４３は、ＬＡＮＩ／Ｆ４２がＬＡＮコネクタ部１２に接続されたＬＡＮケーブル１２Ａを介してＬＡＮ５１に接続されているか否かを検出し、ＬＡＮ５１に接続されている場合には、ＬＡＮ接続信号を出力する。そして、通信制御回路部３３は、接続状態判定部４３から出力されたローカル接続信号やＬＡＮ接続信号を制御回路部３１へ出力する。
【００３７】
また、通信制御回路部３３は、ＭＡＣアドレスを記憶しており、起動後、接続状態判定部４３がＬＡＮ接続信号を出力した場合には、ＳＮＭＰに基づいて、ＬＡＮ５１上のアドレス設定装置としてのサーバ１００からＩＰアドレス、サブネットマスク、ゲートウェイアドレス等を取得する。一方、制御回路部３１は、起動後、通信制御回路部３３からＬＡＮ接続信号が入力された場合には、通信制御回路部３３からＩＰアドレス、サブネットマスク、ゲートウェイアドレス等の取得完了信号が入力されるまで所定時間（例えば、約３０秒である。）待機するように構成されている。
【００３８】
また、通信制御回路部３３は、ＬＡＮＩ／Ｆ４２に接続されたＬＡＮ５１上のサーバ１００等の外部装置からＴＣＰ／ＩＰ等の通信方式で、印刷データを取得し、また、ローカルＩ／Ｆ４１に接続されたパーソナルコンピュータ２００等から印刷データを取得する。そして、通信制御回路部３３は、これら取得した印刷データを制御回路部３１に出力したり、制御回路部３１からの指示に基づいて、当該テープ印刷装置１の動作状態等をサーバ１００等の外部装置やパーソナルコンピュータ２００等の他の機器へ出力する。
【００３９】
また、印刷部４５は、制御回路部３１から入力された印刷データに従って、プラテンローラ１７を回転駆動する不図示のシート送りモータやサーマルヘッド１８を駆動制御し、ロールシート３Ａにラベルデータを印刷する。
また、ラベルカット部４６は、制御回路部３１から入力された切断指示に従って、切断用モータ８Ｃを駆動制御して可動刃８Ｂを上下方向に往復移動させ、印刷されたロールシート３Ａを切断する。
【００４０】
［電源切断処理］
次に、上記のように構成されたテープ印刷装置１の電源ボタン７Ａにより電源回路部３２を切断する、つまり、ＯＦＦにする「電源切断処理」について図５に基づいて説明する。図５はテープ印刷装置１の電源ボタン７Ａにより電源を切断する「電源切断処理」を示すフローチャートである。尚、図５にフローチャートで示されるプログラムは、制御回路部３１のＣＰＵ４１によって、所定時間毎（例えば、約１００ミリ秒毎である。）に実行される。
【００４１】
図５に示すように、先ず、ステップ（以下、Ｓと略記する）１１において、制御回路部３１のＣＰＵ３５は、電源ボタン７Ａが押下されたか否か、つまり、電源ボタン７Ａから押下信号が入力されたか否かを判定する判定処理を実行する。そして、電源ボタン７Ａが押下されていない場合、つまり、電源ボタン７Ａから押下信号が入力されていない場合には（Ｓ１１：ＮＯ）、ＣＰＵ３５は、当該処理を終了する。
【００４２】
一方、電源ボタン７Ａが押下された場合、つまり、電源ボタン７Ａから押下信号が入力された場合には（Ｓ１１：ＹＥＳ）、ＣＰＵ３５は、Ｓ１２の処理に移行する。
Ｓ１２において、ＣＰＵ３５は、タイマ３８により電源ボタン７Ａの押下信号が入力されてからの経過時間の計測を開始する。
【００４３】
続いて、Ｓ１３において、ＣＰＵ３５は、テープ印刷装置１がＬＡＮコネクタ部１２に接続されたＬＡＮケーブル１２Ａを介してＬＡＮ５１に接続されているか否か、つまり、通信制御回路部３３からＬＡＮ接続信号が入力されているか否かを判定する判定処理を実行する。
そして、テープ印刷装置１がＬＡＮコネクタ部１２に接続されたＬＡＮケーブル１２Ａを介してＬＡＮ５１に接続されていない場合、つまり、通信制御回路部３３からＬＡＮ接続信号が入力されていない場合には（Ｓ１３：ＮＯ）、ＣＰＵ３５は、後述のＳ１５の処理に移行する。
【００４４】
一方、テープ印刷装置１がＬＡＮコネクタ部１２に接続されたＬＡＮケーブル１２Ａを介してＬＡＮ５１に接続されている場合、つまり、通信制御回路部３３からＬＡＮ接続信号が入力されている場合には（Ｓ１３：ＹＥＳ）、ＣＰＵ３５は、Ｓ１４の処理に移行する。
Ｓ１４において、ＣＰＵ３５は、電源ボタン７Ａが押下された状態で所定時間（例えば、約５秒である。）経過したか否かを判定する判定処理を実行する。つまり、ＣＰＵ４１は、電源ボタン７Ａからの押下信号が入力されている間、所定時間毎（例えば、約１００ミリ秒毎である。）にタイマ３８の計測時間を読み込み、所定時間（例えば、約５秒である。）に達したか否かを判定する判定処理を実行する。
【００４５】
そして、電源ボタン７Ａが押下された状態で所定時間（例えば、約５秒である。）経過していない場合、つまり、タイマ３８の計測時間が所定時間（例えば、約５秒である。）に達する前に、電源ボタン７Ａの押下信号の入力が無くなった場合には（Ｓ１４：ＮＯ）、ＣＰＵ３５は、当該処理を終了する。
【００４６】
一方、電源ボタン７Ａが押下された状態で所定時間（例えば、約５秒である。）経過した場合、つまり、タイマ３８の計測時間が所定時間（例えば、約５秒である。）に達した場合には（Ｓ１４：ＹＥＳ）、ＣＰＵ３５は、Ｓ１５の処理に移行する。
Ｓ１５において、ＣＰＵ３５は、電源回路部３２に対してＯＦＦ信号を出力して、制御回路部３１、通信制御回路部３３、印刷部４５、ラベルカット部４６等への電源供給をＯＦＦするように指示後、つまり、駆動電源を切断するように指示後、当該処理を終了する。これにより、電源回路部３２は、制御回路部３１から入力されたＯＦＦ信号に従って、制御回路部３１、通信制御回路部３３、印刷部４５、ラベルカット部４６等への電源供給をＯＦＦする。
【００４７】
ここで、ロールシート３Ａは、印刷媒体として機能する。また、プラテンローラ１７、サーマルヘッド１８及び印刷部４５は、印刷手段を構成する。また、通信制御基板２９、ＬＡＮコネクタ部１２及び通信制御回路部３３は、ネットワーク接続手段を構成する。また、電源ボタン７Ａは、入力手段として機能する。また、接続状態判別部４３及びＬＡＮＩ／Ｆ４２は、ネットワーク接続判定手段を構成する。また、ＣＰＵ３５、ＲＯＭ３６、ＲＡＭ３７及びタイマ３８は、指示判定手段、電源制御手段を構成する。
【００４８】
以上詳細に説明した通り、第１実施形態に係るテープ印刷装置１では、制御回路部３１のＣＰＵ３５は、ＬＡＮ５１に接続されている場合、つまり、通信制御回路部３３からＬＡＮ接続信号が入力されている場合には、電源ボタン７Ａから所定時間（例えば、約５秒である。）連続して押下信号が入力されると、駆動電源を切断する。また、ＣＰＵ３５は、ＬＡＮ５１に接続されていない場合、つまり、通信制御回路部３３からＬＡＮ接続信号が入力されていない場合には、電源ボタン７Ａから押下信号が入力されると、ほぼ同時に駆動電源を切断する。
【００４９】
これにより、ユーザは、テープ印刷装置１をＬＡＮ５１に接続している際に、駆動電源を切断する場合には、所定時間（例えば、約５秒である。）以上電源ボタン７Ａを押下する必要があるため、ネットワーク接続中における不要な駆動電源の切断を効果的に防止することが可能となる。従って、テープ印刷装置１のＬＡＮ５１への接続時における電源投入回数を削減して、ＬＡＮ５１上のサーバ１００との通信量の削減化を図り、トラフィックを減少させることが可能となる。
【００５０】
また、ＬＡＮ５１に接続されていない場合には、電源ボタン７Ａが押下されたときに駆動電源を切断するように構成することができ、迅速に駆動電源を切断することが可能となる。また、電源ボタン７Ａをフロントカバー６に配置することができ、テープ印刷装置１の操作性の向上を図ることが可能となる。
【実施例２】
【００５１】
次に、第２実施形態に係るテープ印刷装置６１について図６に基づいて説明する。尚、以下の説明において上記図１乃至図５の第１実施形態に係るテープ印刷装置１の構成等と同一符号は、該第１実施形態に係るテープ印刷装置１等の構成等と同一あるいは相当部分を示すものである。図６は第２実施形態に係るテープ印刷装置６１の電源ボタン７Ａにより電源を切断する「電源切断処理」を示すフローチャートである。
【００５２】
第２実施形態に係るテープ印刷装置６１の概略構成は、第１実施形態に係るテープ印刷装置１とほぼ同じ構成である。また、テープ印刷装置６１の各種制御処理も第１実施形態に係るテープ印刷装置１とほぼ同じ制御処理である。
但し、電源ボタン７Ａが押下された場合に、電源回路部３２を切断する、つまり、ＯＦＦにする「電源切断処理」が異なっている。
【００５３】
［電源切断処理］
ここで、第２実施形態に係るテープ印刷装置６１の電源ボタン７Ａにより電源を切断する「電源切断処理」について図６に基づいて説明する。
図６に示すように、Ｓ１１１乃至Ｓ１１３において、制御回路部３１のＣＰＵ３５は、上記Ｓ１１乃至Ｓ１３の処理を実行する。
そして、テープ印刷装置６１がＬＡＮ５１に接続されていない場合、つまり、通信制御回路部３３からＬＡＮ接続信号が入力されていない場合には（Ｓ１１３：ＮＯ）、ＣＰＵ３５は、Ｓ１１７の処理に移行して、上記Ｓ１５の処理を実行後、当該処理を終了する。
【００５４】
一方、テープ印刷装置１がＬＡＮ５１に接続されている場合、つまり、通信制御回路部３３からＬＡＮ接続信号が入力されている場合には（Ｓ１１３：ＹＥＳ）、ＣＰＵ３５は、Ｓ１１４の処理に移行する。
Ｓ１１４において、ＣＰＵ３５は、テープ印刷装置６１がＲＳ−２３２Ｃコネクタ部１１又はＵＳＢコネクタ部１３を介してパーソナルコンピュータ２００等の他の機器に直接接続されているか否か、つまり、通信制御回路部３３からローカル接続信号が入力されているか否かを判定する判定処理を実行する。
【００５５】
そして、テープ印刷装置６１がＲＳ−２３２Ｃコネクタ部１１又はＵＳＢコネクタ部１３を介してパーソナルコンピュータ２００等の他の機器に直接接続されていない場合、つまり、通信制御回路部３３からローカル接続信号が入力されていない場合には（Ｓ１１４：ＮＯ）、ＣＰＵ３５は、後述のＳ１１６の処理に移行して、上記Ｓ１４の処理を実行する。
一方、テープ印刷装置６１がＲＳ−２３２Ｃコネクタ部１１又はＵＳＢコネクタ部１３を介してパーソナルコンピュータ２００等の他の機器に直接接続されている場合、つまり、通信制御回路部３３からローカル接続信号が入力されている場合には（Ｓ１１４：ＹＥＳ）、ＣＰＵ３５は、Ｓ１１５の処理に移行する。
【００５６】
Ｓ１１５において、ＣＰＵ３５は、印刷部４５に最後に出力した印刷データが、ＬＡＮＩ／Ｆ４２を介してＬＡＮ５１上のサーバ１００等の外部装置からＴＣＰ／ＩＰ等の通信方式で取得した印刷データか否かを判定する判定処理を実行する。
尚、制御回路部３１のＣＰＵ３５は、印刷部４５に出力した印刷データが、ＬＡＮＩ／Ｆ４２を介して取得した印刷データの場合には、印刷フラグをＯＮに設定して、ＲＡＭ３７に記憶する。一方、ＣＰＵ３５は、印刷部４５に出力した印刷データが、ローカルＩ／Ｆ４１を介して取得した印刷データの場合には、印刷フラグをＯＦＦに設定して、ＲＡＭ３７に記憶する。従って、ＣＰＵ３５は、ＲＡＭ３７から印刷フラグを読み出し、この印刷フラグがＯＮに設定されているか否かによって、印刷部４５に最後に出力した印刷データが、ＬＡＮＩ／Ｆ４２を介してＬＡＮ５１上のサーバ１００等の外部装置から取得した印刷データか否かを判定する。
【００５７】
そして、印刷部４５に最後に出力した印刷データが、ＬＡＮＩ／Ｆ４２を介してＬＡＮ５１上のサーバ１００等の外部装置からＴＣＰ／ＩＰ等の通信方式で取得した印刷データでいない場合、つまり、ローカルＩ／Ｆ４１を介してＲＳ−２３２Ｃコネクタ部１１又はＵＳＢコネクタ部１３に直接接続されたパーソナルコンピュータ２００等の他の機器から取得した印刷データの場合には（Ｓ１１５：ＮＯ）、ＣＰＵ３５は、Ｓ１１７の処理に移行して、上記Ｓ１５の処理を実行後、当該処理を終了する。
【００５８】
一方、印刷部４５に最後に出力した印刷データが、ＬＡＮＩ／Ｆ４２を介してＬＡＮ５１上のサーバ１００等の外部装置からＴＣＰ／ＩＰ等の通信方式で取得した印刷データの場合には（Ｓ１１５：ＹＥＳ）、ＣＰＵ３５は、Ｓ１１６の処理に移行して、上記Ｓ１４の処理を実行する。
【００５９】
そして、電源ボタン７Ａが押下された状態で所定時間（例えば、約５秒である。）経過していない場合、つまり、タイマ３８の計測時間が所定時間（例えば、約５秒である。）に達する前に、電源ボタン７Ａの押下信号の入力が無くなった場合には（Ｓ１１６：ＮＯ）、ＣＰＵ３５は、当該処理を終了する。
【００６０】
一方、電源ボタン７Ａが押下された状態で所定時間（例えば、約５秒である。）経過した場合、つまり、タイマ３８の計測時間が所定時間（例えば、約５秒である。）に達した場合には（Ｓ１１６：ＹＥＳ）、ＣＰＵ３５は、Ｓ１１７の処理に移行して上記Ｓ１５の処理を実行後、当該処理を終了する。
【００６１】
ここで、通信制御基板２９、ＲＳ−２３２Ｃコネクタ部１１、ＵＳＢコネクタ部１３及び通信制御回路部３３は、直接接続手段を構成する。また、接続状態判定部４３及びローカルＩ／Ｆ４１は、直接接続判定手段を構成する。また、ＣＰＵ３５、ＲＯＭ３６及びＲＡＭ３７は、取得経路判定手段を構成する。
【００６２】
以上詳細に説明した通り、第２実施形態に係るテープ印刷装置６１では、制御回路部３１のＣＰＵ３５は、ＬＡＮコネクタ部１２に接続されたＬＡＮケーブル１２Ａを介してＬＡＮ５１だけに接続されて、ローカルＩ／Ｆ４１にパーソナルコンピュータ２００等の他の機器が接続されていない場合には、つまり、通信制御回路部３３からＬＡＮ接続信号だけが入力されている場合には、電源ボタン７Ａから所定時間（例えば、約５秒である。）連続して押下信号が入力されると、駆動電源を切断する。
【００６３】
これにより、ユーザは、テープ印刷装置１をＬＡＮ５１だけに接続している際に、駆動電源を切断する場合には、所定時間（例えば、約５秒である。）以上電源ボタン７Ａを押下する必要があるため、ネットワーク接続中における不要な駆動電源の切断を効果的に防止することが可能となる。従って、テープ印刷装置６１のＬＡＮ５１への接続時における電源投入回数を削減して、ＬＡＮ５１上のサーバ１００との通信量の削減化を図り、トラフィックを減少させることが可能となる。
【００６４】
また、ＣＰＵ３５は、ＬＡＮコネクタ部１２に接続されたＬＡＮケーブル１２Ａを介してＬＡＮ５１に接続されると共に、ＲＳ−２３２Ｃコネクタ部１１又はＵＳＢコネクタ部１３を介してパーソナルコンピュータ２００等の他の機器に直接接続されている場合、つまり、通信制御回路部３３からＬＡＮ接続信号とローカル接続信号の両接続信号が入力されている場合には、最後に印刷した印刷データがＬＡＮ５１を介して取得したものか否かを判定する（Ｓ１１５）。
【００６５】
そして、最後に印刷した印刷データがＬＡＮ５１を介して取得したものである場合には（Ｓ１１５：ＹＥＳ）、ＲＳ−２３２Ｃコネクタ部１１又はＵＳＢコネクタ部１３を介してパーソナルコンピュータ２００等の他の機器が直接接続されていても、電源ボタン７Ａが所定時間（例えば、約５秒である。）以上連続して押下されたときに駆動電源を切断するように構成することができる。これにより、当該テープ印刷装置６１がＬＡＮ５１を介して使用されている際の不要な駆動電源の切断を防止することが可能となる。従って、テープ印刷装置６１のＬＡＮ５１への接続時における電源投入回数を削減して、ＬＡＮ５１上のサーバ１００との通信量の削減化を図り、トラフィックを減少させることが可能となる。
【００６６】
一方、最後に印刷した印刷データが、ＲＳ−２３２Ｃコネクタ部１１又はＵＳＢコネクタ部１３を介して直接接続されたパーソナルコンピュータ２００等の他の機器から取得した印刷データの場合には（Ｓ１１５：ＮＯ）、電源ボタン７Ａが押下されたときに駆動電源を切断するように構成することができる。これにより、当該テープ印刷装置６１がパーソナルコンピュータ２００等の他の機器に直接接続されて使用されている場合に、迅速に駆動電源を切断することが可能となる。
【００６７】
また、ＲＳ−２３２Ｃコネクタ部１１又はＵＳＢコネクタ部１３を介してパーソナルコンピュータ２００等の他の機器だけに直接接続されて、ＬＡＮ５１に接続されていない場合には、つまり、通信制御回路部３３からローカル接続信号だけが入力されている場合には、電源ボタン７Ａが押下されたときに駆動電源を切断するように構成することができ、迅速に駆動電源を切断することが可能となる。また、電源ボタン７Ａをフロントカバー６に配置することができ、テープ印刷装置１の操作性の向上を図ることが可能となる。
【００６８】
尚、本発明は前記実施形態に限定されることはなく、本発明の要旨を逸脱しない範囲内で種々の改良、変形が可能であることは勿論である。
【００６９】
例えば、上記Ｓ１４、Ｓ１１６で、電源ボタン７Ａが連続して押下された時間が所定時間に達したか否かを判定するが、この所定時間を設定変更可能な時間設定部を設けるようにしてもよい。具体的には、この所定時間を設定する設定スイッチを制御基板２６上や各テープ印刷装置１、６１の後面部に設けるようにしてもよい。また、電源ボタン７Ａとカットボタン７Ｂとを同時に押下する毎に、ＣＰＵ３５は、この所定時間を約５秒→約１０秒→約１５秒→約５秒→約１０秒→・・・・と順次設定変更して、ＲＡＭ３７に記憶するように構成してもよい。
【００７０】
これにより、駆動電源を切断するために、電源ボタン７Ａを連続して押下する所定時間が設定変更可能になるため、ユーザは、当該所定時間をより長く設定することによって、各テープ印刷装置１、６１のＬＡＮ５１接続時における不要な電源切断を更に確実に防止することが可能となる。
【図面の簡単な説明】
【００７１】
【図１】第１実施形態に係るテープ印刷装置の前側からの外観斜視図である。
【図２】テープ印刷装置の後側からの外観斜視図である。
【図３】ロールシートホルダをテープ印刷装置に装着した状態を示す側断面図である。
【図４】テープ印刷装置の制御構成を示すブロック図である。
【図５】第１実施形態に係るテープ印刷装置の電源ボタンにより電源を切断する「電源切断処理」を示すフローチャートである。
【図６】第２実施形態に係るテープ印刷装置の電源ボタンにより電源を切断する「電源切断処理」を示すフローチャートである。
【符号の説明】
【００７２】
１        テープ印刷装置
３        ロールシートホルダ
３Ａ      ロールシート
１０      インレット
１１      ＲＳ−２３２Ｃコネクタ部
１２      ＬＡＮコネクタ部
１３      ＵＳＢコネクタ部
１７      プラテンローラ
１８      サーマルヘッド
２６      制御基板
２８      電源基板
２９      通信制御基板
３１      制御回路部
３２      電源回路部
３３      通信制御回路部
３５      ＣＰＵ
３６      ＲＯＭ
３７      ＲＡＭ
３８      タイマ
４１      ローカルＩ／Ｆ
４２      ＬＡＮＩ／Ｆ
４３      接続状態判別部
４５      印刷部
４６      ラベルカット部
【図１】
2010046967.tif 000003
【図２】
2010046967.tif 000004
【図３】
2010046967.tif 000005
【図４】
2010046967.tif 000006
【図５】
2010046967.tif 000007
【図６】
2010046967.tif 000008